(57)【要約】【課題】強固な閉蓋状態を維持することができる食器洗浄機を提供する。【解決手段】食器洗浄機１のロック機構１５は、操作パネル１３に設けられた回転軸１７と、回転軸１７に取り付けられた係合部材１８と、筐体２に設けられた被係合部材１９とを有する。回転軸１７の軸芯の軌道線を基準線としたとき、係合部材１８は、基準線に接近する方向に回転して基準線を超えない位置で、被係合部材１９と係合する。【選択図】図２
2016067615.tif 000002
【特許請求の範囲】
【請求項１】
洗浄する食器を出し入れするための開放部が前方に形成された洗浄機本体と、前記開放部を開閉自在に閉蓋する扉板と、前記開放部を閉蓋した状態で前記扉板を解除可能に固定するロック機構とを備えた食器洗浄機であって、
前記ロック機構は、前記扉板に設けられ、前記扉板の開放される際の移動方向と交わる水平方向に延びる回転軸と、前記回転軸に回転自在に取り付けられた係合部を有する係合部材と、前記洗浄機本体に設けられ、前記係合部と係合する被係合部材とを有し、
前記扉板の開閉動作時における前記回転軸の軸芯の軌道線を基準線としたとき、前記係合部は、前記基準線に接近する方向に回転して基準線を超えない位置で、前記被係合部材と係合することを特徴とする食器洗浄機。
【請求項２】
前記ロック機構は、前記係合部材に連動する押圧部材と、前記押圧部材に押圧されることによって前記係合部と前記被係合部材とが係合しているか否かを検知する検知用スイッチとを有していることを特徴とする請求項１に記載の食器洗浄機。
【請求項３】
前記ロック機構は、前記係合部を前記被係合部材と係合する方向に付勢する弾性部材を有し、
前記係合部材には、把持した際に前記係合部を前記被係合部材との係合を解除する方向に回転させる把持部が、一体的に構成されていることを特徴とする請求項１又は請求項２に記載の食器洗浄機。
【発明の詳細な説明】
【技術分野】
【０００１】
本発明は、食器を洗浄する食器洗浄機に関する。
【背景技術】
【０００２】
従来、洗浄する食器を出し入れするための開放部が形成された洗浄機本体と、開放部を閉蓋する扉板と、運転中に開放部が開放されないように、開放部を閉蓋した状態で扉板を固定するロック機構とを備えた食器洗浄機が知られている。
【０００３】
この種の食器洗浄機としては、例えば、システムキッチンに組み込んで設置される引き出し式の食器洗浄機がある。そのような食器洗浄機は、食器を収容する洗浄槽を前方に形成された開放部から出し入れ自在に収容する筐体（洗浄機本体）と、洗浄槽の前面に固定され、筐体の開放部を閉蓋する扉板とを備えたものがある。
【０００４】
そのような食器洗浄機のロック機構としては、扉の上部に設けられ、開放される際の扉の前後方向（洗浄槽のスライド方向）と交わる左右方向に延びる軸（回転軸）と、軸に回転自在に取り付けられたロック片（係合部材）と、洗浄機本体上部に設けられ、ロック片と係合するロック板（被係合部材）とを有するものがある（例えば、特許文献１参照。）。
【０００５】
また、特許文献１に記載のような引き出し式の食器洗浄機の他に、前方に開放部が設けられた洗浄機本体と、その開放部の下端又は上端に設けられた支軸を中心に回転し、開放部を開閉する扉体とを備えたフロントオープン式の食器洗浄機も知られている。
【先行技術文献】
【特許文献】
【０００６】
【特許文献１】特開２０１１−２０６１３０号公報
【発明の概要】
【発明が解決しようとする課題】
【０００７】
ところで、従来の食器洗浄機では、洗浄時に、洗浄水が洗浄槽や扉板に衝突する。また、通常、洗浄水としては例えば６０℃の温水が用いられる。そのため、洗浄水が衝突する洗浄槽や扉板には、洗浄水の衝突によって振動が加わったり、洗浄水から伝わる熱によって膨張等の変形が生じたりするおそれがある。引き出し式では、洗浄槽が膨張することでロック機構に引き出し方向の力が加わり、フロントオープン式では、そのような振動や変形によって、扉板に内側から開放方向の力が加わり、ロックが不用意に解除されるおそれがあった。
【０００８】
本発明は以上の点に鑑みてなされたものであり、強固な閉蓋状態を維持することができる食器洗浄機を提供することを目的とする。
【課題を解決するための手段】
【０００９】
上記目的を達成するために、本発明の食器洗浄機は、洗浄する食器を出し入れするための開放部が前方に形成された洗浄機本体と、開放部を開閉自在に閉蓋する扉板と、開放部を閉蓋した状態で扉板を解除可能に固定するロック機構とを備えた食器洗浄機であって、ロック機構は、扉板に設けられ、扉板の開放される際の移動方向と交わる水平方向に延びる回転軸と、回転軸に回転自在に取り付けられた係合部を有する係合部材と、洗浄機本体に設けられ、係合部と係合する被係合部材とを有し、扉板の開閉動作時における回転軸の軸芯の軌道線を基準線としたとき、係合部は、基準線に接近する方向に回転して基準線を超えない位置で、被係合部材と係合することを特徴とする。
【００１０】
本発明の食器洗浄機では、扉板が開く方向に移動しようとするときに、回転軸を介して係合部材に対して付与される扉板が開く方向にかかる力によって、係合部は、回転軸の軸芯の軌道線（基準線）に接近する方向に回転軸を中心に回転する。この回転方向は、係合部が被係合部材と係合する際の回転方向と一致している。また、係合部と被係合部材とは、基準線を超えない位置で係合するので、係合部材がこの方向に回転するほど、その係合（ロック）は強固なものになる。
【００１１】
したがって、本発明によれば、ロックされている状態で扉板に開放方向の力が加わったとき、その力はロックを強固なものにする力に変換されるので、強固な閉蓋状態が維持され、ロックが不用意に解除されるおそれがない。
【００１２】
また、本発明の食器洗浄機においては、ロック機構は、係合部材に連動する押圧部材と、押圧部材に押圧されることによって係合部と被係合部材とが係合しているか否かを検知する検知用スイッチとを有していることが好ましい。
【００１３】
このように、係合部材と連動するように構成された押圧部材を利用すれば、ロックされているか否かを精度良く検知できるようになる。
【００１４】
また、本発明の食器洗浄機においては、ロック機構は、係合部を被係合部材と係合する方向に付勢する弾性部材を有し、係合部材には、把持した際に係合部を被係合部材との係合を解除する方向に回転させる把持部が、一体的に構成されていることが好ましい。。
【００１５】
このように構成すれば、例えば、複数のリンク部材を介して別体の係合部材と把持部材とを連結したもの等に比べて、部品数が少なくすることができるので、作動不良も生じにくくなる。しかも、把持部を把持するだけでロックの解除が可能になり、把持したときの回転力が即座に、ロスすることなく係合部に伝達されるので、強固な閉蓋状態を維持しながら、解除操作を極めて容易に行うことができるようになる。
【図面の簡単な説明】
【００１６】
【図１】本発明の第１実施形態の食器洗浄機の構成を模式的に示す説明図。
【図２】図１の食器洗浄機のロック機構の構成を拡大して示す断面図。
【図３】図１の食器洗浄機のロック機構及び検知用スイッチの構成を拡大して示す斜視図であり、ロック解除状態を示す図。
【図４】図１の食器洗浄機のロック機構及び検知用スイッチの構成を拡大して示す斜視図であり、ロック状態を示す図。
【図５】本発明の変形例に係る食器洗浄機の構成を模式的に示す断面図。
【発明を実施するための形態】
【００１７】
以下、図１〜図４を参照して、本実施形態に係る食器洗浄機について説明する。
【００１８】
まず、図１及び図２を参照して、食器洗浄機１の概略構成について説明する。
【００１９】
図１に示すように、食器洗浄機１は、システムキッチンに組み込んで設置される引き出し式のものである。食器洗浄機１の筐体２（洗浄機本体）の前方には開放部が形成されており、筐体２の内部に収容されている洗浄槽３は、その開放部から出し入れ自在となっている。
【００２０】
洗浄槽３の底部側には、洗浄水を噴出する洗浄ノズル４が設けられている。洗浄槽３の背面側には、洗浄槽３内の食器を乾燥させるための乾燥用空気を導入する乾燥ダクト５及び乾燥ファン６が設けられている。
【００２１】
洗浄槽３の底部には、洗浄槽３内に残菜フィルタ７を介して連通する洗浄水の溜り部８が設けられている。洗浄槽３の底部下側には、洗浄ノズル４及び溜り部８に連通する洗浄・排水ポンプ９が設置されている。洗浄・排水ポンプ９は、正転させたときに洗浄ノズル４に洗浄水を供給し、逆転させたときに洗浄槽３からの排水を行う。また、洗浄槽３の内部には、食器を支持するための食器カゴ１０が着脱自在に取り付けられている。
【００２２】
洗浄ノズル４は、食器カゴ１０より下方に設置され、水平方向に長手の下ノズル１１と、下ノズル１１の長手方向中央部に立設されたセンターノズル１２とにより構成されている。
【００２３】
下ノズル１１は、その長手方向中央部で鉛直軸線回りに旋回しつつ食器カゴ１０に向けて洗浄水を噴出する。下ノズル１１は、洗浄・排水ポンプ９から供給される洗浄水の噴出反力によって旋回するようになっている。
【００２４】
センターノズル１２は、下ノズル１１と一体に回転する下半部１２ａと、この下半部１２ａに上下動自在に挿設された上半部１２ｂとで構成されている。洗浄・排水ポンプ９から洗浄水が供給されたとき、センターノズル１２は下ノズル１１と共に旋回しつつ水圧によって上半部１２ｂが上方にのびるようになっている。そして、センターノズル１２の下半部１２ａ及び上半部１２ｂから食器カゴ１０に向けて洗浄水が噴出される。
【００２５】
洗浄槽３の上方部は、前方に突出した形状になっており、食器の洗浄の開始及び停止等の操作を行うための操作パネル１３が固定されている。操作パネル１３の下側となる位置には、扉材１４が固定されている。食器洗浄機１では、操作パネル１３及び扉材１４が、筐体２（洗浄機本体）の開放部を開閉自在に閉蓋する扉板となる。
【００２６】
操作パネル１３の中央部には、筐体２の開放部を閉蓋した状態で操作パネル１３及び扉材１４（扉板）を解除可能に固定するロック機構１５が設けられている（図１では不図示。図２参照。）。
【００２７】
図２に示すように、洗浄槽３は、洗浄する食器を出し入れするために上面に形成された開口部３ｂの周囲に、開口部３ｂの上縁から外方に向かって延設されたフランジ部３ａを有している。その開口部３ｂは、洗浄槽３が筐体２に収納された際に、洗浄槽３の上側に位置する蓋体２ａによって閉蓋される。このとき、洗浄槽３のフランジ部３ａと蓋体２ａとの間は、蓋体２ａに取り付けられたシール部材１６によって封止され、洗浄槽３の内部空間は密閉状態となる。
【００２８】
次に、図２〜図４を参照して、ロック機構１５について説明する。
【００２９】
図２に示すように、ロック機構１５は、操作パネル１３に設けられた回転軸１７と、回転軸１７に回転自在に取り付けられた係合部材１８と、筐体２に設けられた被係合部材１９と、係合部材１８を付勢するバネ２０（図２では不図示。図３参照。）を有している。
【００３０】
回転軸１７は、操作パネル１３及び扉材１４の開放される際の移動方向と交わる水平方向（図２の紙面に対しては垂直な方向）に延びている。
【００３１】
係合部材１８は、回転軸１７よりも筐体２側に延び、先端が被係合部材１９側に突出した係合部１８ａと、回転軸１７よりも筐体２から離れる側に延びた把持部１８ｂ（把持部材）とを有している。
【００３２】
係合部材１８は、図２において実線で示したロック状態のときに、把持部１８ｂが把持されると、回転軸１７を中心として、係合部材１８と被係合部材１９とのロックを解除する方向（図２では時計回り方向）に回転し、図２において仮想線（破線）で示した姿勢となる。
【００３３】
このように、係合部材１８に把持部１８ｂが設けられていることによって、本実施形態の食器洗浄機１は、例えば、複数のリンク部材を介して別体の係合部材と把持部材とを連結したもの等に比べて、部品数が少なくすることができ、作動不良も生じにくくなっている。しかも、把持部１８ｂを把持するだけでロックの解除が可能になり、把持したときの回転力が即座に、ロスすることなく係合部材１８の係合部１８ａに伝達されるので、解除操作を極めて容易に行うことができる。
【００３４】
被係合部材１９は、筐体２の前面側上部で、係合部材１８の係合部１８ａと係合する被係合部１９ａが洗浄槽３側に突出するように固定されている。その被係合部１９ａは、操作パネル１３及び扉材１４の開閉動作時における回転軸１７の軸芯の軌道線（図２の一点鎖線）を基準線としたとき、その基準線よりも下側に位置している。
【００３５】
バネ２０（弾性部材）は、回転軸１７を中心として、係合部材１８を被係合部材１９と係合する方向（図２では反時計回り方向）に付勢している。そのため、食器洗浄機１が非使用時であり、且つ、ロックを解除する動作が行われていない場合には、バネ２０の付勢力によって、ロック状態が維持される。
【００３６】
ところで、本実施形態の食器洗浄機１では、洗浄時に洗浄水が洗浄槽３の内面に衝突する。また、洗浄水としては例えば６０℃の温水が用いられる。そのため、洗浄槽３には、洗浄時に、洗浄水の衝突によって振動が加わったり、洗浄水から伝わる熱によって洗浄槽３の変形が生じたりするおそれがある。そして、そのような振動や洗浄槽３の変形によって、洗浄槽３に取り付けられた操作パネル１３及び扉材１４に内側から開放方向の力が加わり、操作パネル１３に設けられたロック機構１５に解除方向の力（バネ２０の付勢力に反する方向の力）が加わるおそれがある。
【００３７】
ここで、本実施形態の食器洗浄機１では、係合部１８ａと被係合部１９ａとが回転軸１７の軸心の軌道線を超えない位置（本実施形態では下方になる）で係合しているから、そのような力によって、操作パネル１３及び扉材１４が開く方向に移動しようとするときには、係合部材１８に対しても操作パネル１３及び扉材１４が開く力が付与され、その力によって、係合部材１８は、回転軸１７の軸芯の軌道線（基準線）に接近する方向に回転する。
【００３８】
この回転方向は、係合部材１８が被係合部材１９と係合する際の回転方向と一致している。そのため、係合部材１８がこの方向に回転するほど、その係合（ロック）は強固なものになる。
【００３９】
したがって、本実施形態の食器洗浄機１によれば、ロックされている状態で、振動や洗浄槽３の変形により操作パネル１３及び扉材１４に開放方向の力が加わったとしても、その力はロックを強固なものにする力に変換されるので、強固な閉蓋状態が維持され、ロックが不用意に解除されるおそれがない。
【００４０】
また、図３に示すように、ロック機構１５は、係合部材１８と一体的に構成された押圧部材２１と、押圧部材２１と洗浄槽３とに係止されたバネ２０（弾性部材）と、洗浄槽３に固定された検知用スイッチ２２とを有している。
【００４１】
押圧部材２１は、係合部材１８に対して回転軸１７の軸方向にずれた位置に配置され、係合部材１８に連動して回転する。押圧部材２１はその下端部２１ａによって、検知用スイッチ２２を押圧し得るようになっている。
【００４２】
検知用スイッチ２２は、ロックを解除する動作が行われていない場合には、押圧部材２１の下端部２１ａによって押圧された状態になる（図４参照。）。一方、係合部材１８の把持部１８ｂが把持されることによってロックを解除する動作が行われた場合には、押圧部材２１は係合部材１８と一体的に回転して、検知用スイッチ２２の押圧が解除される。
【００４３】
このように、ロック状態を検知する検知用スイッチ２２が、係合部材１８と連動する押圧部材２１で押圧されるように構成されていることによって、本実施形態の食器洗浄機１では、ロック状態を精度良く検知することができる。
【００４４】
以上、図示の実施形態について説明したが、本発明はこのような形態に限られるものではない。
【００４５】
例えば、上記実施形態においては、システムキッチンに組み込んで設置される引き出し式の食器洗浄機を用いて本発明を説明した。しかし、本発明はそのような引き出し式の食器洗浄機にのみ適用し得るものではない。
【００４６】
例えば、図５に示すようなフロントオープン式の食器洗浄機に適用し得る。なお、この食器洗浄機の場合、前方に開放部が形成されている本体部２３（洗浄機本体）に被係合部２３ｂを設け、その開放部を閉蓋する前蓋部２４（扉板）に係合部２４ａを設けている。
【００４７】
なお、この食器洗浄機では、ロック機構の係合部２４ａはアクチュエータ（不図示）によって、ロック状態とロック解除状態とを切り替えるように構成されている。アクチュエータによるロックの切り替えは、引き出し式の食器洗浄機にももちろん適用できる。
【００４８】
また、上記実施形態においては、係合部材１８と被係合部材１９との係合位置を、基準線よりも下側としている。しかし、係合位置は、ロック解除状態における係合部材の係合部の位置よりも基準線に近い位置であればよい。例えば、ロック解除状態における係合部材の係合部の位置が基準線よりも上側にある場合には、係合位置は基準線よりも上側になる。
【符号の説明】
【００４９】
１…食器洗浄機、２…筐体（洗浄機本体）、２ａ…蓋体、３…洗浄槽、３ａ…フランジ部、３ｂ…開口部、４…洗浄ノズル、５…乾燥ダクト、６…乾燥ファン、７…残菜フィルタ、８…溜り部、９…洗浄・排水ポンプ、１０…食器カゴ、１１…下ノズル、１２…センターノズル、１２ａ…下半部、１２ｂ…上半部、１３…操作パネル、１４…扉材、１５…ロック機構、１６…シール部材、１７…回転軸、１８…係合部材、１８ａ…係合部、１８ｂ…把持部、１９…被係合部材、１９ａ…被係合部、２０…バネ（弾性部材）、２１…押圧部材、２１ａ…下端部、２２…検知用スイッチ、２３…本体部（洗浄機本体）、２３ａ…被係合部（被係合部材）、２４…前蓋部（扉板）、２４ａ…係合部（係合部材）。
【図１】
2016067615.tif 000003
【図２】
2016067615.tif 000004
【図３】
2016067615.tif 000005
【図４】
2016067615.tif 000006
【図５】
2016067615.tif 000007